(57)【特許請求の範囲】
【請求項１】
画像に写り込む塵埃を除去する塵埃除去を画像処理によって行う塵埃除去手段と、
を備え、
前記画像の表示が所定の表示手段で可能であるとともに、前記所定の表示手段の表示画面上には、タッチ位置の検出が可能なタッチ位置検出手段が設けられており、
前記塵埃除去手段は、
前記表示画面に前記画像を表示しつつ前記タッチ位置検出手段で検出されるタッチ位置に基づき、前記画像における前記塵埃の位置を特定する特定手段と、
前記特定手段で特定された前記塵埃の位置に基づく画像処理により、前記塵埃除去を行う処理手段と、
を有する表示装置。
【請求項２】
前記撮像装置の動作モードとして、前記塵埃除去を行うための塵埃除去モードが設けられており、
前記塵埃除去手段は、
前記塵埃除去モードへの移行に応答して、前記表示画面に表示される画像を拡大表示する手段、
を有する請求項１記載の表示装置。
【請求項３】
前記処理手段は、
前記画像において設定された部分領域に対しての前記画像処理により、前記塵埃除去を行う手段、
を有するとともに、
前記塵埃除去手段は、
前記タッチ位置が環状に移動した軌跡を外周とする領域を、前記部分領域として設定する領域設定手段、
を有する請求項１または請求項２記載の表示装置。
【請求項４】
前記処理手段は、
設定された輝度範囲に属する画素群を、前記画像において前記塵埃を構成する画素群として検出する検出手段、
を有するとともに、
前記塵埃除去手段は、
前記タッチ位置検出手段に対するタッチ時間に応じた前記輝度範囲を設定する輝度範囲設定手段、
を有する請求項１または請求項２記載の表示装置。
【請求項５】
前記塵埃除去手段は、
前記タッチ時間が増加することにより前記輝度範囲設定手段で順次に設定される前記輝度範囲それぞれに基づき前記検出手段で検出される前記画素群に対して前記画像処理が施された各画像を、順次に前記表示画面に表示させる手段、
を有する請求項４記載の表示装置。
【請求項６】
前記処理手段は、
前記画像において設定された部分領域に対しての画像処理により、前記塵埃除去を行う手段、
を有するとともに、
前記塵埃除去手段は、
前記特定手段で特定された前記塵埃の位置を内包する所定形状の図形を、前記部分領域として設定する領域設定手段、
を有する請求項１または請求項２記載の表示装置。
【請求項７】
前記塵埃除去で用いた前記塵埃の位置に関する塵埃情報を記憶手段に記憶させる記憶制御手段、
をさらに備え、
前記処理手段は、
前記撮像手段による前記画像の取得に応答し、当該取得された画像に対して前記記憶手段に記憶された塵埃情報に基づく画像処理によって前記塵埃除去を行う手段、
を有する請求項１または請求項２記載の表示装置。
【請求項８】
前記記憶制御手段は
前記記憶手段に記憶されている塵埃情報と異なり、新たに得られた塵埃情報を前記記憶手段に追加して記憶させる手段、
を有する請求項７記載の表示装置。
【請求項９】
前記記憶手段に記憶されている複数の塵埃情報について、少なくとも１の塵埃情報を指定する指定手段と、
前記指定手段により指定された塵埃情報を、前記記憶手段から消去する消去手段と、
をさらに備える請求項８記載の表示装置。
【発明の詳細な説明】
【技術分野】
【０００１】
本発明は、被写体に係る画像を取得する撮像手段を備えた表示装置に関する。
【背景技術】
【０００２】
撮像素子を用いて被写体を撮影するデジタルカメラ(撮像装置)においては、レンズ交換が可能な一眼レフタイプのものも知られている。
【０００３】
しかし、このような一眼レフデジタルカメラでは、レンズ交換の際にカメラボディの内部に侵入する塵や、レフレックスミラーなどの駆動機構で発生する金属粉等の塵埃が、撮像素子やレンズ等の光学部品に付着する可能性がある。
【０００４】
ここで、撮像素子等に塵埃が付着した場合には、撮影画像に塵埃が写り込むこととなるが、この対策として、例えば次の特許文献１〜３に開示される各技術が提案されている。
【０００５】
特許文献１の技術によれば、浮遊する塵埃をミラーボックス内の帯電装置によりマイナスに帯電させ、それらをクーロン力によってプラスに帯電させた集塵板に引き寄せることにより、塵埃の付着を抑えている。
【０００６】
特許文献２の技術によれば、撮像素子の前面で圧電ポンプによる空気流を発生させることにより、塵埃の付着を抑えている。
【０００７】
特許文献３の技術によれば、予め白画像を撮影してダストプロファイルを作成し、このダストプロファイルに基づく画像処理により、撮影画像に写り込んだ塵埃の除去を図っている。
【０００８】
【特許文献１】特開２００４−１８４９４９号公報
【特許文献２】特開２００７−２４１１７１号公報
【特許文献３】特開２００７−２４３６５１号公報
【発明の開示】
【発明が解決しようとする課題】
【０００９】
しかしながら、上記の特許文献１や特許文献２の技術においては、物理的に塵埃の付着を抑えられるもの、塵埃の付着を完全に防止できないため、撮影画像に塵埃が写り込む可能性がある。これでは、塵埃が適切に除去された撮影画像を得られない。
【００１０】
一方、上記の特許文献３の技術では、ダストプロファイルを作成すれば画像処理による塵埃の除去が可能であるが、ダストプロファイルの作成には予め白画像の撮影が必要であるため、塵埃の除去を簡易に行えない。
【００１１】
本発明は、上記課題に鑑みてなされたものであり、撮影画像に写り込む塵埃の適切な除
去を簡易に行える表示装置を提供することを目的とする。
【課題を解決するための手段】
【００１２】
本発明の１つの側面は、表示装置であって、画像に写り込む塵埃を除去する塵埃除去を画像処理によって行う塵埃除去手段とを備え、前記画像の表示が所定の表示手段で可能であるとともに、前記所定の表示手段の表示画面上には、タッチ位置の検出が可能なタッチ位置検出手段が設けられており、前記塵埃除去手段は、前記表示画面に前記画像を表示しつつ前記タッチ位置検出手段で検出されるタッチ位置に基づき、前記画像における前記塵埃の位置を特定する特定手段と、前記特定手段で特定された前記塵埃の位置に基づく画像処理により、前記塵埃除去を行う処理手段とを有する。
【発明の効果】
【００１３】
本発明によれば、表示画面に画像を表示しつつタッチ位置検出手段で検出されるタッチ位置に基づき画像における塵埃の位置を特定し、この特定された塵埃の位置に基づく画像処理により、画像に写り込む塵埃を除去する。その結果、画像に写り込む塵埃の適切な除去を簡易に行える。
【発明を実施するための最良の形態】
【００１４】
＜撮像装置の構成＞
図１は、本発明の実施形態に係る撮像装置１の要部構成を示す斜視図である。この撮像装置１は、レンズ交換式一眼レフレックスタイプのデジタルカメラとして構成されている。
【００１５】
撮像装置１は、カメラ本体部（カメラボディ）２を備えており、カメラ本体部２に対して交換レンズ（交換式の撮影レンズユニット）３が着脱可能である。この交換レンズ３を異なる種類のものに交換すれば、ユーザが所望する焦点距離や明るさを持つレンズによる撮影が可能となる。ただし、交換レンズ３を交換する際には、カメラ本体部２の外部の雰囲気中に漂う塵などの塵埃が、カメラ本体部２の内部に侵入する可能性がある。そして、カメラ本体部２内に侵入した塵埃が撮像素子４１(図２参照)等に付着すれば、撮影画像に塵埃が写り込むこととなる。
【００１６】
交換レンズ３は、主として鏡胴ならびに、鏡胴の内部に設けられるレンズ群および絞り等によって構成される。この撮影光学系として機能するレンズ群には、光軸方向に移動することによって焦点位置を変更するフォーカスレンズ等が含まれている。
【００１７】
カメラ本体部２は、交換レンズ３が装着される円環状のマウント部を正面略中央に備えている。
【００１８】
また、カメラ本体部２は、その背面右上部にモード設定ダイヤル８２を備え、その前面左上部に制御値設定ダイヤル８６を備えている。モード設定ダイヤル８２を操作することで、撮像装置１に設けられた各種の動作モード（各種撮影モード（人物撮影モード、風景撮影モード、およびフルオート撮影モード等）、撮影した画像を再生する再生モード、および外部機器との間でデータ交信を行う通信モード等を含む）の設定動作を行うことが可能である。また、制御値設定ダイヤル(以下では「設定ダイアル」とも略称する)８６を操作すれば、各種撮影モードにおいて制御値を設定することが可能であり、塵埃除去補正モード(後述)において背面表示部１２に表示される画像の拡大率を変更することが可能である。
【００１９】
また、カメラ本体部２は、正面左端部にユーザが把持するためのグリップ部１４を備えている。グリップ部１４の上面には露光開始を指示するためのレリーズボタン１１が設けられている。また、グリップ部１４の内部には電池収納室とカード収納室とが設けられている。電池収納室にはカメラ電源としての電池が収納されており、カード収納室には撮影画像の画像データを記録するためのメモリカード９０（図２参照）が着脱可能に収納されるようになっている。
【００２０】
レリーズボタン１１は、半押し状態（Ｓ１状態）と全押し状態（Ｓ２状態）の２つの状態を検出可能な２段階検出ボタンである。このレリーズボタン１１が半押しされＳ１状態になると、被写体に関する記録用静止画像（本撮影画像）を取得するための準備動作（例えば、ＡＦ制御動作およびＡＥ制御動作等）が行われる。そして、レリーズボタン１１が押し込まれてＳ２状態になると、本撮影画像の撮影動作（撮像素子４１(後述)を用いて被写体像（被写体の光像）に関する露光動作を行い、その露光動作によって得られた画像信号に所定の画像処理を施す一連の動作）が行われる。
【００２１】
カメラ本体部２は、背面略中央上部にファインダ窓（接眼窓）１０を備えている。このファインダ窓１０をユーザが覗くことによって、交換レンズ３から導かれた被写体の光像を視認して構図決定を行うことができる。ここで、撮像装置１では、ユーザの眼などがファインダ窓１０に直接接触するのを防止するアイピース９１を装着することが可能である。
【００２２】
カメラ本体部２は、上部に内蔵フラッシュ４０が設けられている。暗い場所等での撮影時には、ユーザが内蔵フラッシュ４０をポップアップし、これを発光させることで適切な撮影が可能となる。
【００２３】
カメラ本体部２の背面の略中央には、表示画面１２ｆを有する背面表示部１２が設けられている。この背面表示部１２では、撮影された画像の表示が可能であるとともに、撮影条件等を設定するためのメニュー画面を表示したり、再生モードにおいてメモリカード９０に記録された撮影画像を再生表示したりすることができる。また、背面表示部１２では、撮像装置１の動作モードとして塵埃除去を行うために設けられた塵埃除去補正モードを選択するメニューＭ１(図６参照)等を撮影画像に重畳して表示させることが可能である。
【００２４】
背面表示部１２の左上部にはメインスイッチ８１が設けられている。メインスイッチ８１は２点スライドスイッチからなり、接点を左方の「ＯＦＦ」位置に設定すると、電源がオフになり、接点の右方の「ＯＮ」位置に設定すると、電源がオンになる。
【００２５】
背面表示部１２の右側には方向選択キー８４が設けられている。この方向選択キー８４は円形の操作ボタンを有し、この操作ボタンにおける上下左右の４方向の押圧操作と、右上、左上、右下及び左下の４方向の押圧操作とが、それぞれ検出されるようになっている。なお、方向選択キー８４は、上記８方向の押圧操作とは別に、中央部のプッシュボタンの押圧操作も検出されるようになっている。
【００２６】
背面表示部１２の右上方には、メニュー表示や画像の削除などを行うためのボタン８３が設けられている。
【００２７】
＜撮像装置１の機能構成＞
図２は、撮像装置１の機能構成を示すブロック図である。ここで、図１と同一の部材等については、同一の符号を付している。
【００２８】
撮像装置１は、カメラ機構の制御を担当するカメラ制御部１００と、撮像部４で生成された画像信号に対して画像処理を施す画像処理エンジン５と、カメラ制御部１００と画像処理エンジン５とによるアクセスが可能で不揮発性メモリとして機能するフラッシュメモリ５０とを備えている。
【００２９】
カメラ制御部１００は、マイクロコンピュータとして機能するＣＰＵ(Central Processing Unit)１００ａを有して、撮像装置１において撮影動作時の制御等を行う部位である。このカメラ制御部１００により、レリーズボタン１１(図１)を含む各種ボタンおよびスイッチ等を備えて構成される操作部８０に対してのユーザの入力操作に応答して、撮像装置１の各種動作が実現される。
【００３０】
撮像部４は、撮像素子４１と、撮像素子４１から出力されたアナログ信号をデジタル信号に変換するＡ／Ｄ変換部４２とを備えている。この撮像素子４１は、被写体に係る画像を取得する撮像手段として機能する。
【００３１】
撮像素子４１は、カメラ本体部２に交換レンズ３が装着された場合の当該交換レンズ３が備えているレンズ群の光軸上において、その光軸に対して垂直となる方向に配置されている。この撮像素子４１としては、例えばフォトダイオードを有して構成される複数の画素がマトリクス状に２次元配置され、各画素の受光面に、それぞれ分光特性の異なる例えばＲ（赤）、Ｇ（緑）、Ｂ（青）のカラーフィルタが１：２：１の比率で配設されてなるベイヤー配列のＣＭＯＳカラーエリアセンサ（ＣＭＯＳ型のイメージセンサ）が用いられる。このような撮像素子４１では、交換レンズ３を通って結像された被写体光像に関するＲ（赤）、Ｇ（緑）、Ｂ（青）各色成分のアナログの電気信号（画像信号）を生成し、Ｒ、Ｇ、Ｂ各色の画像信号が出力される。
【００３２】
画像処理エンジン５は、例えばマイクロコンピュータとして機能するＣＰＵおよびメモリを備えた画像処理回路として構成されている。
【００３３】
画像処理エンジン５では、撮像部４から出力された画像データに対して、画像の周辺減光補正(シェーディング補正)や、黒レベル補正、ホワイトバランス補正などの各種の画像処理が施される。また、画像処理エンジン５は、撮影画像に写り込む塵埃を除去する塵埃除去を画像処理(塵埃除去補正)によって行う塵埃除去補正部５１を備えている(後で詳述)。
【００３４】
本撮影の際には、画像処理エンジン５で画像処理された画像データは、記録媒体としてのメモリカード９０に記録されたり、背面表示部１２に画像表示される。この画像表示により、撮影画像を確認するための確認表示（アフタービュー）が実現される。
【００３５】
背面表示部１２は、例えばカラー液晶ディスプレイ（ＬＣＤ）として構成される液晶モニタ１２１を備え、液晶モニタ１２１の表示画面１２ｆ全体を覆うように、ユーザがタッチしたタッチ位置の検出を行える透明なタッチパネル１２２が配設されている。このような構成の背面表示部１２により、タッチパネル１２２を介して液晶モニタ１２１に表示される画像等の内容をユーザが視認できる。
【００３６】
そして、カメラ制御部１００および画像処理エンジン５では、表示画面１２ｆ上に設けられたタッチパネル１２２においてユーザが触った位置座標の情報を、タッチパネルコントローラ１３を介して取得できる。
【００３７】
＜塵埃除去について＞
撮像装置１では、塵埃除去補正部５１を用いて、表示画面１２ｆに撮影画像を表示しつつタッチパネル１２２で検出されるタッチ位置に基づき撮影画像における塵埃の位置を特定し、この塵埃の位置に基づく塵埃除去補正によって適切な塵埃除去を行える。この塵埃除去の手順を以下で説明する。
【００３８】
まず、本撮影によって撮像素子４１で得られた撮影画像を背面表示部１２に表示する。次に、背面表示部１２に表示された撮影画像において、タッチパネル１２２へのユーザ操作により塵埃が写り込んだ箇所を指定するとともに、塵埃除去補正を行う画像部分（後述の補正領域Ｈｓ(図１０参照)）を設定する。そして、ユーザがタッチパネル１２２に触れている時間に応じて増加する補正レベルを用いた塵埃除去補正により、適切に塵埃が除去された撮影画像が得られることとなる。この補正レベルを用いた塵埃除去補正を以下で詳しく説明する。
【００３９】
補正レベルαが設定される場合には、ユーザにより塵埃の位置として指定された１画素の輝度値を基準値Ｒとして、この基準値Ｒ±αの閾値内に入る輝度値を持つ画素が異常な画素として塵埃除去補正の対象となる。
【００４０】
すなわち、塵埃除去補正部５１では、タッチパネル１２２に対するタッチ時間に応じて設定される輝度範囲(Ｒ±α)に属する画素群を、撮影画像において塵埃を構成する画素群（以下では「塵埃構成画素群」と称する）とみなして検出する。例えば、図３のように撮影画像に塵埃Ｄｏ(太線で図示)が写り込んでいる場合、タッチパネル１２２へのタッチ時間(押下時間)に応じて補正レベルαが増加していくと、塵埃構成画素群の範囲は、ユーザが指定した塵埃の指定位置Ｐｔを中心に領域Ｄａから領域Ｄｂ、塵埃Ｄｏの全体領域へと徐々に拡大していくこととなる。これにより、塵埃除去補正に必要な補正パラメータとしての補正レベルをユーザが簡易に入力できる。なお、タッチパネル１２２へのユーザ操作によって設定された塵埃Ｄｏの指定位置Ｐｔ、補正領域および補正レベルの情報は、補正パラメータとして、以後の本撮影で得られる撮影画像への塵埃除去補正に利用できるようにフラッシュメモリ５０に記憶される。
【００４１】
また、塵埃除去補正においては、ユーザの入力操作により、図４(ａ)に示すような撮影画像の水平方向の走査と、図４(ｂ)に示すような垂直方向の走査との切替えが可能となっている。例えば、タッチパネル１２２に対して塵埃の位置をタッチして指定する際に、タッチしてから指が移動した方向(指が払われた方向)を検出し、その方向が水平方向か垂直方向かを判断することにより、走査方向を決定するようにする。ここで、図４(ａ)のように水平方向の走査Ｑｈが行われる場合には、塵埃構成画素群の領域Ｄｐの外縁に隣接する正常な画素Ｈ１、Ｈ２の輝度値の平均で、画素Ｈ１、Ｈ２に挟まれた画素群の輝度値を置き換える補正処理が行われる。同様に、図４(ｂ)のように垂直方向の走査Ｑｖが行われる場合には、塵埃構成画素群の領域Ｄｐの外縁に隣接する正常な画素Ｖ１、Ｖ２の輝度値の平均で、画素Ｖ１、Ｖ２に挟まれた画素群の輝度値を置き換える補正処理が行われる。このような補正処理により、適切に塵埃除去が行われた撮影画像が得られることとなる。
【００４２】
以上のような塵埃除去を行える撮像装置１の具体的な動作を、以下で説明する。
【００４３】
＜撮像装置１の動作＞
図５は、撮像装置１の基本的な動作、特に塵埃除去補正処理に関連した動作を示すフローチャートである。
【００４４】
まず、本撮影の動作により撮像素子４１で撮影画像が取得されると、塵埃除去補正で利用できる補正パラメータ（上述した補正レベル、塵埃の位置および後述の補正領域）がフラッシュメモリ５０に記憶されているかを判定する(ステップＳＴ１)。
【００４５】
ステップＳＴ１において、補正パラメータが記憶されている場合には、ステップＳＴ１２に進む。これにより、ステップＳＴ１２において、撮像素子４１による撮影画像の取得に応答し、この取得された撮影画像に対してフラッシュメモリ５０に記憶された補正パラメータ(塵埃情報)に基づく塵埃除去補正によって自動的に塵埃除去が行われることとなり、利便性の向上が図れる。
【００４６】
一方、ステップＳＴ１において、補正パラメータが記憶されていない場合には、ステップＳＴ２に進む。
【００４７】
ステップＳＴ２では、撮像素子４１で得られた撮影画像を背面表示部１２に表示する。ここで、背面表示部１２に表示される表示画像については、設定ダイアル８６に対するユーザ操作により、画像の拡大や縮小が可能である。
【００４８】
ステップＳＴ３では、塵埃除去補正モードが選択されたかを判定する。例えば図６に示すように、表示画面１２ｆに表示されたメニューＭ１において、ユーザの指ＦＧによるタッチパネル１２２への入力により塵埃除去補正モードに相当する「ゴミ除去モード」が選択されたか否かを判断する。
【００４９】
ステップＳＴ３において、塵埃除去補正モードが選択された場合には、ステップＳＴ４に進み、塵埃除去補正に必要な処理を開始する。なお、塵埃除去補正モードへの移行後においては、例えばボタン８３に対するユーザ操作により塵埃除去補正処理を中止して塵埃除去補正モードを抜けることが可能である。
【００５０】
一方、ステップＳＴ３において、塵埃除去補正モードが選択されない場合には、図５のフローチャートを終了する。
【００５１】
ステップＳＴ４では、次のユーザ操作に関する案内表示を背面表示部１２で行う。例えば、図７に示すように表示画面１２ｆに「ゴミのある位置をタッチして下さい」というメッセージＭ２が表示される。
【００５２】
この図７においては、図６に示す撮影画像Ｇｓを拡大した画像が表されている。すなわち、撮像装置１では、撮影画像Ｇｓに写り込む微小な塵埃をユーザが識別しやすくするために、塵埃除去補正モードへの移行に応答して、表示画面１２ｆに表示される撮影画像Ｇｓが自動的に拡大表示されている。
【００５３】
なお、撮影画像Ｇｓの拡大表示に伴って表示画面１２ｆの下端および右端にスクロールバーＢｈ、Ｂｖが表示されるが、このスクロールバーＢｈ、Ｂｖについてのタッチパネル１２２への入力により、撮影画像Ｇｓにおいて拡大表示される画像部分を移動させることが可能である。そして、スクロールバーＢｈ、Ｂｖに対するユーザ操作により、図８に示すように表示画面１２ｆに塵埃Ｄｏ(平行斜線部)が表示されるようになれば、この塵埃Ｄｏを指ＦＧで的確にタッチできることとなる。
【００５４】
ステップＳＴ５では、ユーザの指ＦＧによるタッチパネル１２２への押下操作により、撮影画像Ｇｓにおける塵埃Ｄｏの位置が指定されたかを判定する。ここで、塵埃Ｄｏの位置が指定された場合には、例えば図９に示す指定位置Ｐｔ(黒丸で図示)の表示を行ってステップＳＴ６に進み、塵埃位置が指定されていない場合には、ステップＳＴ４に戻る。
【００５５】
ステップＳＴ６では、次のユーザ操作に関する案内表示を背面表示部１２で行う。例えば、図９に示すように表示画面１２ｆに「補正する領域を囲んで下さい」というメッセージＭ３が表示される。
【００５６】
ステップＳＴ７では、ユーザの指ＦＧがタッチパネル１２２に触れたまま塵埃Ｄｏの周囲を一周する入力操作により、塵埃除去補正を行う撮影画像Ｇｓの部分領域(以下では「補正領域」と略称する)が指定されたかを判定する。塵埃除去補正部５１では、撮影画像Ｇｓにおいて設定された補正領域(部分領域)に対する限定した塵埃除去補正理を行えるが、上記の入力操作のようにタッチパネル１２２でタッチ位置が環状に移動した軌跡を外周とする領域を補正領域として設定することにより、塵埃除去補正に必要な補正パラメータを簡易に入力できることとなる。
【００５７】
ステップＳＴ７において、補正領域が指定された場合には、例えば図１０のように補正領域Ｈｓ(網掛け部)の表示を行ってステップＳＴ８に進み、補正領域が指定されていない場合には、ステップＳＴ６に戻る。
【００５８】
ステップＳＴ８では、ユーザによって指定された補正領域Ｈｓに塵埃Ｄｏが存在するかを判定する。具体的には、ユーザによって指定された塵埃Ｄｏの指定位置Ｐｔが補正領域Ｈｓに内包されるか否かを判断する。ここで、補正領域Ｈｓに塵埃Ｄｏが存在する場合には、ステップＳＴ１０に進み、塵埃Ｄｏが存在しない場合には、ステップＳＴ９に進む。
【００５９】
ステップＳＴ９では、補正領域Ｈｓの指定が適切に行われていないとして、エラー表示を背面表示部１２で行う。例えば、表示画面１２ｆに「もう一度、補正する領域を選んで下さい」というメッセージが表示される。
【００６０】
ステップＳＴ１０では、次のユーザ操作に関する案内表示を背面表示部１２で行う。例えば、図１０に示すように表示画面１２ｆに「タッチ時間で補正レベルが変わります」というメッセージＭ４が表示される。
【００６１】
ステップＳＴ１１では、ユーザによるタッチパネル１２２の押下により、補正レベルの指定が行われたかを判定する。例えば、ユーザの指ＦＧによるタッチパネル１２２の押下時間が、予め定められた閾値時間より長くなった場合に、ユーザによる補正レベルの指定行為と判断する。なお、補正レベルを指定するためのタッチパネル１２２の押下操作については、タッチパネル１２２上であれば、いずれの箇所における押下でも良いものとする。
【００６２】
このステップＳＴ１１において、補正レベルが指定された場合には、ステップＳＴ１２に進み、指定されていない場合には、ステップＳＴ１１に戻る。
【００６３】
ステップＳＴ１２では、ユーザによって入力された補正パラメータ（塵埃Ｄｏの指定位置Ｐｔ、補正領域Ｈｓおよび補正レベル）に基づき、撮像画像Ｇｓに写り込む塵埃Ｄｏに対しての塵埃除去補正処理を行う(後で詳述)。
【００６４】
ステップＳＴ１３では、ステップＳＴ１２において塵埃除去補正処理が施された補正後の撮影画像を背面表示部１２に表示する。
【００６５】
ステップＳＴ１４では、ユーザによるタッチパネル１２２の押下が継続しているかを判定する。ここで、タッチパネル１２２の押下が継続している場合には、ステップＳＴ１５に進み、タッチパネル１２２から指ＦＧが離れて押下が行われていない場合には、ステップＳＴ１６に進む。
【００６６】
ステップＳＴ１５では、補正レベルを増加する。このステップＳＴ１５の動作により、例えば一定の速度で徐々に増加する補正レベルに基づいた塵埃除去補正（ステップＳＴ１２）を行えるとともに、その補正が施された撮影画像の表示（ステップＳＴ１３）を行える。すなわち、タッチパネル１２２へのタッチ時間が増加することにより順次に設定される補正レベルに連動した上述の輝度範囲それぞれに基づき得られる塵埃構成画素群に対して塵埃除去補正が施された各撮影画像を、順次に表示画面１２ｆに表示させることができる。これにより、タッチパネル１２２の押下中には、例えば図３に示すように塵埃の指定位置Ｐｔを中心に領域Ｄａから領域Ｄｂへと徐々に塵埃Ｄｏでの補正部分が拡大していく様子がリアルタイムで把握できるため、塵埃Ｄｏの全域に補正が及んだ時点でタッチパネル１２２から指ＦＧを離せば、適切な塵埃除去が図れることとなる。
【００６７】
ステップＳＴ１６では、補正後の撮影画像で問題がないかを判定する。ここでは、例えば図１１に示すように表示画面１２ｆに「補正後の画像を保存しますか？」というメッセージＭ５を表示し、「はい」・「いいえ」の各表示部分のいずれにユーザの指ＦＧが触れたかを判断する。ここで、補正後の撮影画像で問題がない場合には、ステップＳＴ１７に進み、問題がある場合には、ステップＳＴ１０に戻る。
【００６８】
ステップＳＴ１７では、補正後の撮影画像をメモリカード９０に保存するとともに、ユーザによって入力された補正パラメータをフラッシュメモリ５０に保存する。すなわち、ステップＳＴ１２の塵埃除去補正処理で用いた塵埃の指定位置Ｐｔを含む補正パタメータ(塵埃情報)であって、フラッシュメモリ５０に記憶されているものと異なって新たに得られた補正パラメータを、フラッシュメモリ(記憶手段)５０に追加して記憶させる。これにより、その補正パラメータを、以後の撮影で得られる撮影画像への塵埃除去補正に利用できるため、利便性が向上することとなる。
【００６９】
このようなステップＳＴ１７の動作により、補正パラメータがフラッシュメモリ５０に蓄積されていくが、一方で、撮影画像に写り込む塵埃がブロアーなどによって物理的に除去された場合には、その塵埃除去補正が自動的に行われないようにフラッシュメモリ５０内の補正パラメータを消去する必要がある。この消去手順について、以下で説明する。
【００７０】
図１２および図１３は、フラッシュメモリ５０からの補正パラメータの消去手順を説明するための図である。以下では、具体例として、撮影画像での塵埃の位置を表す塵埃位置表示Ｇｐにおいて各位置Ｄ１、Ｄ２の塵埃に関する補正パラメータ１、２がフラッシュメモリ５０に記憶されている場合に、補正パラメータ１を消去する手順を説明する。
【００７１】
まず、図１２のように背面表示部１２の表示画面１２ｆにゴミ除去メニューＭａを表示させ、「補正１」の表示部分を指ＦＧでタッチする。これにより、表示画面１２ｆの下部に、「補正パラメータ１を消去しますか？」というメッセージＭｂが表示される。ここで、「はい」の表示部分を指ＦＧでタッチすると、補正パラメータ１がフラッシュメモリ５０から消去されるとともに、図１３のように「補正パラメータ１を消去しました」というメッセージＭｄが表示される。そして、補正パラメータ１の消去に伴い、図１２に対して項目「補正１」が削除されたゴミ除去メニューＭｃ(図１３)、および図１２に対して塵埃の位置Ｄ１が削除された塵埃位置表示Ｇｑが表示される。
【００７２】
なお、図１２に示すゴミ除去メニューＭａにおいて「一括消去」が選択されると、フラッシュメモリ５０に記憶される全ての補正パラメータが消去される。
【００７３】
以上のようにフラッシュメモリ５０に記憶されている複数の補正パラメータ(塵埃情報)について少なくとも１つの補正パラメータをユーザが指定し、この指定された補正パラメータをフラッシュメモリ５０から消去することにより、物理的に塵埃除去が行われ撮影画像に写り込まなくなった塵埃に対する不要な塵埃除去補正を防止できる。
【００７４】
図１４は、図５のステップＳＴ１２に対応する動作、つまり塵埃除去補正処理を示すフローチャートである。
【００７５】
ステップＳＴ２０では、ユーザにより塵埃Ｄｏとして指定された指定位置Ｐｔ(図９)にある画素の輝度値を、上述した基準値Ｒに設定する。
【００７６】
ステップＳＴ２１では、ユーザによって入力された補正レベルを、上述した閾値に変換する。すなわち、ステップＳＴ２０で設定された基準値Ｒ±補正レベルαが閾値として設定される。
【００７７】
ステップＳＴ２２では、ユーザによって入力された補正領域Ｈｓ(図１０)内の走査を開始する。この場合には、上述のようにタッチパネル１２２へのユーザ操作により図４(ａ)に示す水平方向の走査、または図４(ｂ)に示す垂直方向の走査を選択できる。
【００７８】
ステップＳＴ２３では、走査方向の各画素において、基準値Ｒに対して上記の閾値以内の輝度値を持つ画素(塵埃構成画素)を検出したかを判定する。ここで、塵埃構成画素を検出した場合には、ステップＳＴ２４に進み、検出されなかった場合には、ステップＳＴ２５に進む。
【００７９】
ステップＳＴ２４では、塵埃構成画素の輝度値を、その周囲の正常な画素の輝度値に基づき補正する。具体的には、図４(ａ)のように水平方向の走査Ｑｈが行われる場合には、塵埃構成画素の領域Ｄｐの外縁に隣接する正常な画素Ｈ１、Ｈ２の輝度値の平均で、画素Ｈ１、Ｈ２に挟まれた異常画素の輝度値を置換する。一方、図４(ｂ)のように垂直方向の走査Ｑｖが行われる場合には、塵埃構成画素の領域Ｄｐの外縁に隣接する正常な画素Ｖ１、Ｖ２の輝度値の平均で、画素Ｖ１、Ｖ２に挟まれた異常画素の輝度値を置換する。
【００８０】
ステップＳＴ２５では、ステップＳＴ２２で開始した走査を終了して、塵埃除去補正を完了する。なお、ステップＳＴ２２で開始されステップＳＴ２５で終了する走査は、補正領域Ｈｓの全画素に対する走査が完了するまで繰り返されることとなる。
【００８１】
以上で説明した撮像装置１においては、撮影画像を表示画面１２ｆに表示しつつタッチパネル１２２を用いて撮影画像に写り込む塵埃Ｄｏの位置を指定できるため、塵埃除去補正による塵埃の適切な除去を簡易に行える。
【００８２】
＜変形例＞
・上記の実施形態においては、タッチパネル１２２へのユーザ操作により補正領域Ｈｓ(図１０)を設定するのは必須でなく、ユーザが指定した塵埃Ｄｏの位置を内包する所定形状の図形を補正領域として自動的に設定するようにしても良い。例えば図１５に示すようにユーザが指定した指定位置Ｐｔを中心とし、予め定められた半径ｒｏを有する円を補正領域Ｈｔ(破線で図示)として設定する。これにより、補正領域を設定するためのユーザ操作を省略でき、ユーザ負担を軽減できる。
【００８３】
・上記の実施形態においては、撮像装置１に設置された背面表示部１２にタッチパネルを設けるのは必須でなく、撮像装置１にコネクタ等を介して着脱可能に接続するモニタにタッチパネルを設けるようにしても良い。
【００８４】
・上記の実施形態においては、表示画面１２ｆ全面にタッチパネルを設けるのは必須でなく、表示画面１２ｆの一部にタッチパネルを設けるようにしても良い。この場合には、表示画面１２ｆにおいて塵埃をタッチパネルの領域内に移動させるようにすれば、その位置指定等が可能となる。
【００８５】
・上記の実施形態においては、タッチパネルを用いてタッチ位置の検出を行うのは必須でなく、例えば表示画面１２ｆ上に格子状に張り巡らされる赤外線などの光線や、表示画面１２ｆ上を走査する光線が遮られた箇所を検知することによりタッチ位置を光学的に検出しても良い。
【図面の簡単な説明】
【００８６】
【図１】本発明の実施形態に係る撮像装置１の要部構成を示す斜視図である。
【図２】撮像装置１の機能構成を示すブロック図である。
【図３】塵埃除去補正について説明するための図である。
【図４】塵埃除去補正について説明するための図である。
【図５】撮像装置１の基本的な動作を示すフローチャートである。
【図６】撮像装置１における動作を説明するための図である。
【図７】撮像装置１における動作を説明するための図である。
【図８】撮像装置１における動作を説明するための図である。
【図９】撮像装置１における動作を説明するための図である。
【図１０】撮像装置１における動作を説明するための図である。
【図１１】撮像装置１における動作を説明するための図である。
【図１２】フラッシュメモリ５０からの補正パラメータの消去手順を説明するための図である。
【図１３】フラッシュメモリ５０からの補正パラメータの消去手順を説明するための図である。
【図１４】塵埃除去補正処理を示すフローチャートである。
【図１５】本発明の変形例に係る補正領域Ｈｔの設定について説明するための図である。
【符号の説明】
【００８７】
１  撮像装置
２  カメラ本体部
３  交換レンズ
５  画像処理エンジン
１２  背面表示部
１２ｆ  表示画面
１３  タッチパネルコントローラ
４１  撮像素子
５０  フラッシュメモリ
５１  塵埃除去補正部
８６  設定ダイアル
９０  メモリカード
１００  カメラ制御部
１２１  液晶モニタ
１２２  タッチパネル
Ｄｏ  塵埃
ＦＧ  ユーザの指
Ｈｓ、Ｈｔ  補正領域
Ｐｔ  塵埃の指定位置
【図１】
0005012673.tif 000002
【図２】
0005012673.tif 000003
【図３】
0005012673.tif 000004
【図４】
0005012673.tif 000005
【図５】
0005012673.tif 000006
【図６】
0005012673.tif 000007
【図７】
0005012673.tif 000008
【図８】
0005012673.tif 000009
【図９】
0005012673.tif 000010
【図１０】
0005012673.tif 000011
【図１１】
0005012673.tif 000012
【図１２】
0005012673.tif 000013
【図１３】
0005012673.tif 000014
【図１４】
0005012673.tif 000015
【図１５】
0005012673.tif 000016